(57)【特許請求の範囲】
【請求項１】
調理熱を発生させるための熱源及び該熱源を冷却するためのファンが収容された収容室を加熱室の下側に有する加熱調理器本体と、該加熱調理器本体の底壁に垂設された脚体と、該脚体の下端及び前記底壁の間の空間から前記収容室へ吸気するための吸気口と、収容室へ吸気された空気を外部へ排出させるための排気口とを備えた加熱調理器において、前記底壁は下方へ傾斜する傾斜部及び該傾斜部の下縁に連なる平坦な凹所を有しており、前記傾斜部に前記吸気口が設けられており、前記凹所にその回転中心が略水平となるように前記ファンを配してあることを特徴とする加熱調理器。
【請求項２】
前記排気口は前記加熱調理器本体の後壁に設けられており、前記凹所は、前記傾斜部の下縁から前記ファンが配された部分よりも前記排気口側の適宜の位置にかけて設けられている請求項１記載の加熱調理器。
【請求項３】
調理熱を発生させるための熱源及び該熱源を冷却するためのファンが収容された収容室を加熱室の下側に有する加熱調理器本体と、該加熱調理器本体の底壁に垂設された脚体と、該脚体の下端及び前記底壁の間の空間から前記収容室へ吸気するための吸気口と、収容室へ吸気された空気を外部へ排出させるための排気口とを備えた加熱調理器において、前記排気口は前記加熱調理器本体の後壁に設けられており、前記底壁は前記ファンが配されるべき凹所を有しており、該凹所の側面に前記吸気口が設けられており、その回転中心が略水平となるように前記ファンを前記凹所に配してあることを特徴とする加熱調理器。
【発明の詳細な説明】
【０００１】
【発明の属する技術分野】
本発明は被加熱物を高周波で加熱する電子レンジ等の加熱調理器に関する。
【０００２】
【従来の技術】
図４は従来の加熱調理器を示す正面模式図、図５は加熱調理器本体の下部を断面した側面模式図である。加熱調理器は、調理熱を発生させるための熱源である高周波加熱用電源１００及び該高周波加熱用電源１００を冷却するためのファン１０１が収容された収容室１０２を加熱室１０３の下側に有する加熱調理器本体１０４と、該加熱調理器本体１０４の底壁１０５で、４つの角部に垂設された４個の脚体１０６と、該脚体１０６の下端及び前記底壁１０５の間の空間Ａから前記収容室１０２へ吸気するための吸気口１０７と、収容室１０２へ吸気された空気を外部へ排出させるための排気口１０８と、前記加熱室１０３を開閉するための扉１０９とを備えている。前記底壁１０５はほぼ扁平になっており、該底壁１０５に前記吸気口１０７が穿設されているとともに、後壁１１０に前記排気口１０８が穿設されている。また、ファン１０１はその回転中心が水平となるように配置されている。また、加熱調理器本体１０４は調理温度を制御するための制御部を動作させるべき操作釦を有する操作部１１１が前記扉１０９の下側に配されている。
【０００３】
このように構成された加熱調理器は例えば載置台１１２に載置される。この加熱調理器はファン１０１を駆動することにより、加熱調理器本体１０４の底壁１０５及び脚体１０６の下端の間の空間Ａから吸気口１０７を経て収容室１０２内に空気が吸引され、該空気が高周波加熱用電源１００の周りを通過しつつ高周波加熱用電源１００を冷却した後、前記排気口１０８から外部に排出される。
【０００４】
【発明が解決しようとする課題】
ところで、高周波加熱用電源１００の冷却効果を高めるには高周波加熱用電源１００の周りを通過する空気の量を多くすればよい。また、このように空気の量を多くするには、前記ファン１０１を大形とし、さらに、収容室１０２における吸気口１０７とファン１０１との間の通路容積を大きくすればよい。
【０００５】
しかしながら、以上のように加熱室１０３の下側に高周波加熱用電源１００及びファン１０１が収容された収容室１０２を有する従来の加熱調理器の収容室１０２は、図５に示すように回転中心が水平となるように配置されたファン１０１を回転させるだけの高さに形成されているに過ぎないため、ファン１０１を大形にすることができないし、また、収容室１０２における吸気口１０７とファン１０１との間の通路容積を大きくすることもできない。従って、加熱調理器本体１０４の底壁１０５及び脚体１０６の下端の間の吸気用の空間Ａを狭くしたり、加熱調理器の全体を大形にしたりすることなく高周波加熱用電源１００の冷却効果を高めることができる加熱調理器が要望されていた。
【０００６】
本発明は斯かる事情に鑑みてなされたものであり、主たる目的は加熱調理器本体の底壁に下方へ傾斜する傾斜部を設け、該傾斜部に吸気口を設けることにより、脚体の下端及び底壁の間の空間の吸気部を狭くしたり、加熱調理器の全体を大形にしたりすることなく、収容室における吸気口とファンとの間の通路容積を大きくすることができ、熱源の冷却効果を高めることができる加熱調理器を提供することにある。
【０００７】
また、他の目的は、前記底壁に前記傾斜部の下縁からファンが配された部分よりも排気口側の適宜の位置にかけて凹所を設けることにより、ファンの前後における通路容積を大きくすることができ、吸気口から収容室へ比較的多量に吸入された空気の流れをスムーズにすることができる加熱調理器を提供することにある。
【０００８】
さらに、他の目的は、加熱調理器本体の底壁にファンが配されるべき凹所を設け、該凹所の側面に前記吸気口を設けることにより、脚体の下端及び底壁の間の空間の吸気部を狭くしたり、加熱調理器の全体を大形にしたりすることなく、収容室における吸気口からファンを超えた適宜の位置にかけての通路容積を大きくすることができ、熱源の冷却効果を高めることができる加熱調理器を提供することにある。
【０００９】
【課題を解決するための手段】
本発明に係る加熱調理器は、調理熱を発生させるための熱源及び該熱源を冷却するためのファンが収容された収容室を加熱室の下側に有する加熱調理器本体と、該加熱調理器本体の底壁に垂設された脚体と、該脚体の下端及び前記底壁の間の空間から前記収容室へ吸気するための吸気口と、収容室へ吸気された空気を外部へ排出させるための排気口とを備えた加熱調理器において、前記底壁は下方へ傾斜する傾斜部及び該傾斜部の下縁に連なる平坦な凹所を有しており、前記傾斜部に前記吸気口が設けられており、前記凹所にその回転中心が略水平となるように前記ファンを配してあることを特徴とする。
【００１０】
この発明にあっては、脚体の下端及び底壁の間の空間の一部に傾斜部があるため、前記空間の吸気部を狭くしたり、加熱調理器の全体を大形にしたりすることなく、収容室における吸気口とファンとの間の通路容積を大きくすることができ、しかも、この通路容積が大きい域にファンを配してあり、さらに、傾斜部によって吸気口の面積を大きくすることができるため、吸気口から収容室への吸入量及び熱源の周りを通過する空気量を多くすることができ、熱源の冷却効果を高めることができる。
【００１１】
また、本発明に係る加熱調理器は、前記排気口は前記加熱調理器本体の後壁に設けられており、前記凹所は、前記傾斜部の下縁から前記ファンが配された部分よりも前記排気口側の適宜の位置にかけて設けられていることを特徴とする。
【００１２】
この発明にあっては、ファンの前後における通路容積を大きくすることができるため、吸気口から収容室へ比較的多量に吸入された空気がファンを通過した後の空気抵抗を低減でき、該空気の流れをスムーズにすることができるため、熱源の冷却効果をより一層高めることができる。
【００１３】
さらに、本発明に係る加熱調理器は、調理熱を発生させるための熱源及び該熱源を冷却するためのファンが収容された収容室を加熱室の下側に有する加熱調理器本体と、該加熱調理器本体の底壁に垂設された脚体と、該脚体の下端及び前記底壁の間の空間から前記収容室へ吸気するための吸気口と、収容室へ吸気された空気を外部へ排出させるための排気口とを備えた加熱調理器において、前記排気口は前記加熱調理器本体の後壁に設けられており、前記底壁は前記ファンが配されるべき凹所を有しており、該凹所の側面に前記吸気口が設けられており、その回転中心が略水平となるように前記ファンを前記凹所に配してあることを特徴とする。
【００１４】
この発明にあっては、脚体の下端及び底壁の間の空間の一部に凹所があるため、前記空間の吸気部を狭くしたり、加熱調理器の全体を大形にしたりすることなく、収容室における吸気口からファンを超えた適宜の位置にかけての通路容積を大きくすることができ、しかも、加熱調理器本体の後壁に排気口が設けられているため、吸気口から収容室への吸入量及び熱源の周りを通過する空気量を多くすることができ、熱源の冷却効果を高めることができる。
【００１５】
【発明の実施の形態】
以下本発明をその実施の形態を示す図面に基づいて詳述する。
実施の形態１
図１は本発明に係る加熱調理器の実施の形態１の構成を示す要部を断面した側面図、図２は正面図である。
【００１６】
図１の加熱調理器は被加熱物を高周波で加熱する電子レンジであり、調理熱を発生させるための熱源である高周波加熱用電源２及び該高周波加熱用電源２を冷却するためのファン３が収容された収容室１１を、被加熱物を加熱するための加熱室１２の下側に有する加熱調理器本体１と、該加熱調理器本体１の底壁１３に垂設された脚体４と、該脚体４の下端及び前記底壁１３の間の空間から前記収容室１１へ吸気すべく前記底壁１３に穿設された吸気口５と、収容室１１へ吸気された空気を外部へ排出させるべく後壁１４に穿設された排気口６と、前記加熱室１２を開閉するための扉７とを備えている。
【００１７】
ファン３はその回転中心が水平となるように収容室１１の前後方向中央部にモータ８を介して配されている。このモータ８は前記底壁１３に固定された架台に装着されており、モータ８の出力軸に前記ファン３の回転中心部が結合されている。また、高周波加熱用電源２はファン３と前記排気口６との間で、ファン３の近傍に配されている。
【００１８】
脚体４は平面視矩形の加熱調理器本体１の夫々の角部に垂設されており、加熱調理器本体１の前側に配置された２つの脚体４の間の空間Ａを吸気部Ｂとしてあり、該吸気部Ｂから前記吸気口５を経て収容室１１に空気を吸引することができるようにしてある。
【００１９】
加熱調理器本体１は調理温度を制御するための制御部を動作させるべき操作釦を有する操作部１５が前記扉７の下側に配されており、また、加熱室１２には前記高周波加熱用電源２に接続されたマグネトロンで発生した高周波を放射するための放射部を有している。
【００２０】
加熱調理器本体１の底壁１３は前記吸気部Ｂの近傍位置から前記ファン３の下方に向けて傾斜する傾斜部１６と、該傾斜部１６の下縁から前記ファン３及び高周波加熱用電源２を超えた位置にかけて下げられた凹所１７とを有しており、該凹所１７に前記ファン３及び高周波加熱用電源２が配されているとともに、前記傾斜部１６に左右方向に長い複数の長孔からなる前記吸気口５が前後に並設されている。傾斜部１６、凹所１７及び吸気口５は金属板からなる底壁１３と一体に成形されている。
【００２１】
以上のように構成された加熱調理器は例えば図１、図２に示すように載置台９に載置して使用される。この加熱調理器は操作部１５の操作釦を押し操作することにより制御部が動作し、高周波加熱用電源２に通電されて加熱室１２に収容された被加熱物に向けて放射部から高周波が放射され、被加熱物が加熱調理されるとともに、ファン３のモータが駆動され、ファン３の回転によって脚体４の下端及び前記底壁１３の間の空間Ａの吸気部Ｂから吸気口５を経て収容室１１内に空気が吸引され、この空気が高周波加熱用電源２の周りを通過した後、排気口６から外部に排出される。
【００２２】
このように高周波加熱用電源２及びファン３が収容された収容室１１の底壁１３は吸気部Ｂの近傍位置からファン３の下方に向けて傾斜する傾斜部１６と、該傾斜部１６に連なる凹所１７とを備え、該凹所１７にファン３及び高周波加熱用電源２が配されているとともに、傾斜部１６に吸気口５が設けられているため、ファン３の前後における通路容積を大きくすることができる。従って、吸気口５から収容室１１へ比較的多量の空気を吸引することができ、さらに、この吸入された空気がファン３を通過した後の空気抵抗を低減でき、該空気の流れをスムーズにすることができるとともに、高周波加熱用電源２の周りを通過する空気量を多くすることができるため、高周波加熱用電源２の冷却効果をより一層高めることができる。
【００２３】
実施の形態２
図３は実施の形態２の構成を示す要部の拡大断面図である。この実施の形態２の加熱調理器は前記傾斜部１６を設ける代わりに、前記底壁１３に前記ファン３及び高周波加熱用電源２が配されるべき凹所１８を設け、該凹所１８にファン３及び高周波加熱用電源２を配するとともに、凹所１８の側面及び凹所１８の縁に連なる非凹所部分に前記吸気口５を設けたものである。
【００２４】
この実施の形態２にあっては、凹所１８の側面及び非凹所部分に吸気口５を有するため、吸気口５から収容室１１へ比較的多量の空気を吸引することができ、さらに、この吸入された空気がファン３を通過した後の空気抵抗を低減でき、該空気の流れをスムーズにすることができるとともに、高周波加熱用電源２の周りを通過する空気量を多くすることができ、高周波加熱用電源２の冷却効果をより一層高めることができる。
【００２５】
その他の構成及び作用は実施の形態１と同様であるため、同様の部品については同じ符号を付し、その詳細な説明及び作用の説明を省略する。
【００２６】
尚、以上説明した実施の形態では凹所１７，１８にファン３及び高周波加熱用電源２を配したが、その他、高周波加熱用電源２は底壁１３の非凹所部分に配してもよい。この場合、凹所１７，１８の他側（排気口６側）は排気口６側に向けて傾斜する傾斜面とし、ファン３を通過した空気の抵抗を低減するのが好ましい。
【００２７】
また、実施の形態２において、吸気口５は凹所１８の側面及び非凹所部分に設けたが、その他、この吸気口５は凹所１８の側面にのみ設けてもよい。
【００２８】
【発明の効果】
以上詳述した如く本発明によれば、脚体の下端及び底壁の間の空間の吸気部を狭くしたり、加熱調理器の全体を大形にしたりすることなく、収容室における吸気口とファンとの間の通路容積を大きくすることができるとともに、この通路容積が大きい域にファンを配置することが可能であり、さらに、傾斜部によって吸気口の面積を大きくすることができるため、吸気口から収容室への吸入量及び熱源の周りを通過する空気量を多くすることができ、熱源の冷却効果を高めることができる。
【００２９】
また、本発明によれば、ファンの前後における通路容積を大きくすることができるため、吸気口から収容室へ比較的多量に吸入された空気がファンを通過した後の空気抵抗を低減でき、該空気の流れをスムーズにすることができるため、熱源の冷却効果をより一層高めることができる。
【００３０】
さらに、本発明によれば、脚体の下端及び底壁の間の空間の吸気部を狭くしたり、加熱調理器の全体を大形にしたりすることなく、収容室における吸気口からファンを超えた適宜の位置にかけての通路容積を大きくすることができるため、吸気口から収容室への吸入量及び熱源の周りを通過する空気量を多くすることができ、熱源の冷却効果を高めることができる。
【図面の簡単な説明】
【図１】本発明に係る加熱調理器の実施の形態１の構成を示す要部を断面した側面図である。
【図２】本発明に係る加熱調理器の実施の形態１の構成を示す正面図である。
【図３】本発明に係る加熱調理器の実施の形態２の構成を示す要部の拡大断面図である。
【図４】従来の加熱調理器を示す正面模式図である。
【図５】従来の加熱調理器を示す加熱調理器本体の下部を断面した側面模式図である。
【符号の説明】
１    加熱調理器本体
１１  収容室
１２  加熱室
１３  底壁
１６  傾斜部
１７  凹所
１８  凹所
２    熱源
３    ファン
４    脚体
５    吸気口
６    排気口
Ａ    空間
【図１】
0003784280.tif 000002
【図２】
0003784280.tif 000003
【図３】
0003784280.tif 000004
【図４】
0003784280.tif 000005
【図５】
0003784280.tif 000006